(57)【要約】      （修正有）【課題】被記録媒体が帯電し、帯電した被記録媒体に画像を形成することにより、被記録媒体に形成される記録画像の品質が低下することを抑制する記録装置を提供する。【解決手段】被除電物１２に接触する接触部１４と、接触部１４を支持する支持部１９及び８と、を有する除電ブラシ１３を備え、接触部１４は、線状の導電性部材が束ねられて構成されていることを特徴とする記録装置。このような構成の記録装置により、被記録媒体Ｐが帯電し、帯電した被記録媒体Ｐに画像を形成することにより、被記録媒体Ｐに形成される記録画像の品質が低下することを抑制する。【選択図】図４
2015164872.tif 000002
【特許請求の範囲】
【請求項１】
被除電物に接触する接触部と、前記接触部を支持する支持部と、を有する除電ブラシを備え、
前記接触部は、線状の導電性部材が束ねられて構成されていることを特徴とする記録装置
【請求項２】
請求項１に記載の記録装置において、
前記接触部は、前記線状の導電性部材が前記被除電物に対して斜めに接触するように前記支持部に支持されることを特徴とする記録装置。
【請求項３】
請求項１又は２に記載の記録装置において、
前記支持部は導電性であることを特徴とする記録装置。
【請求項４】
請求項１から３のいずれか１項に記載の記録装置において、
前記除電ブラシを取り付ける取付部を備え、
前記取付部は導電性であることを特徴とする記録装置。
【請求項５】
請求項１から４のいずれか１項に記載の記録装置において、
被記録媒体を搬送するローラーを備え、
前記被除電物は、前記ローラーであることを特徴とする記録装置。
【請求項６】
請求項５に記載の記録装置において、
前記接触部は、前記被記録媒体の搬送方向の下流側に位置する一方の端部が前記支持部に支持され、前記搬送方向の上流側に位置する他方の端部が前記ローラーに接触するように前記支持部に支持されることを特徴とする記録装置。
【請求項７】
請求項１から４のいずれか１項に記載の記録装置において、
前記被除電物は、被記録媒体であることを特徴とする記録装置。
【請求項８】
請求項１から７のいずれか１項に記載の記録装置において、
前記接触部は、前記被除電物に対して押圧されるように前記支持部に支持されることを特徴とする記録装置。
【請求項９】
請求項１から８のいずれか１項に記載の記録装置において、
前記接触部をカバーするカバー部を備え、
前記カバー部は、該カバー部と被記録媒体の搬送経路との間に前記接触部が位置するように構成されていることを特徴とする記録装置。
【発明の詳細な説明】
【技術分野】
【０００１】
本発明は、記録装置に関する。
【背景技術】
【０００２】
従来から、被記録媒体に画像を形成する記録装置が多く使用されている。このような記録装置においては、被記録媒体を搬送する際などにおいて被記録媒体が帯電し、帯電した被記録媒体に画像を形成することにより、被記録媒体に形成される記録画像の品質が低下することがあった。  
そこで、例えば、特許文献１には、非接触式の除電部材を備える記録装置が開示されている。
【先行技術文献】
【特許文献】
【０００３】
【特許文献１】特開２００４−１７４９１４号公報
【発明の概要】
【発明が解決しようとする課題】
【０００４】
しかしながら、特許文献１に開示されるような非接触式の除電部材では、十分な除電効果が発揮できない場合があった。
【０００５】
そこで、本発明の目的は、除電を行うことにより、被記録媒体に形成される記録画像の品質が低下することを抑制することである。
【課題を解決するための手段】
【０００６】
上記課題を解決するための本発明の第１の態様の記録装置は、被除電物に接触する接触部と、前記接触部を支持する支持部と、を有する除電ブラシを備え、前記接触部は、線状の導電性部材が束ねられて構成されていることを特徴とする。
【０００７】
本発明の第２の態様の記録装置は、前記第１の態様において、前記接触部は、前記線状の導電性部材が前記被除電物に対して斜めに接触するように前記支持部に支持されることを特徴とする。
【０００８】
本発明の第３の態様の記録装置は、前記第１又は第２の態様において、前記支持部は導電性であることを特徴とする。
【０００９】
本発明の第４の態様の記録装置は、前記第１から第３のいずれか１つの態様において、前記除電ブラシを取り付ける取付部を備え、前記取付部は導電性であることを特徴とする。
【００１０】
本発明の第５の態様の記録装置は、前記第１から第４のいずれか１つの態様において、被記録媒体を搬送するローラーを備え、前記被除電物は、前記ローラーであることを特徴とする。
【００１１】
本発明の第６の態様の記録装置は、前記第５の態様において、前記接触部は、前記被記録媒体の搬送方向の下流側に位置する一方の端部が前記支持部に支持され、前記搬送方向の上流側に位置する他方の端部が前記ローラーに接触するように前記支持部に支持されることを特徴とする。
【００１２】
本発明の第７の態様の記録装置は、前記第１から第４のいずれか１つの態様において、前記被除電物は、被記録媒体であることを特徴とする。
【００１３】
本発明の第８の態様の記録装置は、前記第１から第７のいずれか１つの態様において、前記接触部は、前記被除電物に対して押圧されるように前記支持部に支持されることを特徴とする。
【００１４】
本発明の第９の態様の記録装置は、前記第１から第８のいずれか１つの態様において、前記接触部をカバーするカバー部を備え、前記カバー部は、該カバー部と被記録媒体の搬送経路との間に前記接触部が位置するように構成されていることを特徴とする。
【発明の効果】
【００１５】
本発明によれば、被記録媒体が帯電し、帯電した被記録媒体に画像を形成することにより、被記録媒体に形成される記録画像の品質が低下することを抑制することができる。
【図面の簡単な説明】
【００１６】
【図１】本発明の実施例１に係る記録装置を表す概略側面図。
【図２】本発明の実施例１に係る記録装置の搬送部を表す概略斜視図。
【図３】本発明の実施例１に係る記録装置の搬送部を表す概略斜視図。
【図４】本発明の実施例１に係る記録装置の搬送部を表す概略側面図。
【図５】本発明の実施例１に係る記録装置の除電ブラシの取り付け状態を表す概略側面図。
【図６】本発明の実施例１に係る記録装置の除電ブラシを表す概略平面図。
【図７】本発明の実施例１に係る記録装置の除電ブラシを表す概略平面図。
【図８】本発明の実施例２に係る記録装置の除電ブラシを表す概略平面図。
【発明を実施するための形態】
【００１７】
以下に、本発明の一実施例に係る記録装置について、添付図面を参照して詳細に説明する。  
［実施例１］（図１から図７）
最初に、本発明の実施例１に係る記録装置の概要について説明する。  
図１は、本実施例に係る記録装置１の概略側面図である。
【００１８】
本実施例の記録装置１は、記録を行うためのロール状の被記録媒体ＰのロールＲ１を支持する支持軸２を備えている。そして、本実施例の記録装置１は、被記録媒体Ｐを搬送方向Ａに搬送する際、支持軸２は回転方向Ｃに回転する。なお、本実施例では被記録面が外側になるように巻かれているロール式の被記録媒体Ｐを使用しているが、被記録面が内側になるように巻かれているロール式の被記録媒体Ｐを使用する場合は、支持軸２の回転方向Ｃとは逆回転してロールＲ１を送り出すことが可能である。  
また、本実施例の記録装置１は被記録媒体Ｐとしてロール式の被記録媒体を使用しているが、このようなロール式の被記録媒体を使用する記録装置に限定されない。例えば、単票式の被記録媒体を用いてもよい。
【００１９】
また、本実施例の記録装置１は、被記録媒体Ｐを搬送方向Ａに搬送するための、駆動ローラー１１と従動ローラー１２とからなる搬送ローラー対を有する搬送装置としての搬送部５を備えている。  
なお、本実施例の記録装置１では、駆動ローラー１１は被記録媒体Ｐの搬送方向Ａと交差する方向Ｂに延びる１本のローラーで構成されており、従動ローラー１２は駆動ローラー１１と対向する位置において方向Ｂに複数並べて設けられている。
【００２０】
また、従動ローラー１２の上部には、複数の従動ローラー１２をカバーするカバー部８が設けられている。  
なお、詳細は後述するが、カバー部８には、従動ローラー１２に接触して該従動ローラー１２を除電可能な接触部１４が接触部１４の支持部１９の位置でアルミテープにより取り付けられており、該カバー部８、接触部１４及び接触部１４の支持部１９により除電ブラシ１３が構成されている（図４参照）。
【００２１】
なお、媒体支持部３の下部には、媒体支持部３に支持された被記録媒体Ｐを加熱可能な不図示のヒーターが設けられている。このように、本実施例の記録装置１は、媒体支持部３側から被記録媒体Ｐを加熱可能なヒーターを備えているが、媒体支持部３と対向する位置に設けられる赤外線ヒーター等を備えていてもよい。赤外線ヒーターを用いる場合、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００２２】
また、本実施例の記録装置１は、複数のノズルが設けられたノズル形成面の該ノズルからインクを吐出して記録する記録部としての記録ヘッド４と、該記録ヘッド４を搭載して方向Ｂに往復移動可能なキャリッジ６と、を備えている。  
なお、本実施例の記録装置１は、往復移動しながら記録する記録ヘッド４を備えているが、インクを吐出するノズルを方向Ｂに複数設けた所謂ラインヘッドを備える記録装置でもよい。  
ここで、「ラインヘッド」とは、被記録媒体Ｐの搬送方向Ａと交差する方向Ｂに形成されたノズルの領域が、前記被記録媒体Ｐの方向Ｂ全体をカバー可能なように設けられ、記録ヘッド及び被記録媒体を相対的に移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。
【００２３】
また、記録機構５の被記録媒体Ｐの搬送方向Ａにおける下流側には、被記録媒体ＰをロールＲ２として巻き取り可能な巻取軸１０が備えられている。なお、本実施例では被記録面が外側になるように被記録媒体Ｐを巻き取るので、被記録媒体Ｐを巻き取る際、巻取軸１０は回転方向Ｃに回転する。一方、被記録面が内側になるように巻き取る場合は、回転方向Ｃとは逆回転して巻き取ることが可能である。
【００２４】
また、媒体支持部３における被記録媒体Ｐの搬送方向Ａにおける下流側の端部と、巻取軸１０と、の間には、被記録媒体Ｐとの接触部が方向Ｂに延設され、被記録媒体Ｐに所望のテンションを付与することが可能なテンションバー９が設けられている。
【００２５】
次に、本実施例の記録装置１の要部である搬送部５について説明する。  
図２及び図３は本実施例の搬送部５を表す概略斜視図であり、図２は記録装置１の正面上方から搬送部５を見た概略斜視図であり、図３は記録装置１の斜め上方から搬送部５を見た概略斜視図である。  
また、図４は、本実施例の搬送部５を表す概略側面図である。
【００２６】
本実施例の記録装置１は、図２から図４で表されるように、被記録媒体Ｐの搬送部５の少なくとも一部を構成し、被記録媒体Ｐの搬送方向Ａと交差する方向Ｂに並べて設けられる複数の従動ローラー１２と、複数の従動ローラー１２をカバーするカバー部８と、を備えている。  
そして、図３及び図４で表されるように、カバー部８は、該カバー部８と、被記録媒体Ｐの搬送経路である駆動ローラー１１及び従動ローラー１２のニップ位置１５と、の間に、複数の従動ローラー１２が位置するように構成されている。
【００２７】
図４で表されるように、該カバー部８の下部には従動ローラー１２を除電可能な接触部１４が設けられている。すなわち、本実施例の記録装置１は、接触部１４をカバーするカバー部８を有し、カバー部８は、該カバー部８と被記録媒体のＰ搬送経路との間に接触部１４が位置するように構成されている。  
このような構成により、接触部１４より上方で漂うインクミストなどの異物が降りてきて、接触部１４に付着することを抑制している。このため、インクミストなどの異物が接触部１４に付着し、該異物が接触部１４を介して従動ローラー１２や被記録媒体Ｐに付着して被記録媒体Ｐを汚すことを抑制している。
【００２８】
また、本実施例のカバー部８は、図２から図４で表されるように、複数の従動ローラー１２よりも搬送方向Ａの下流側に張り出した庇１６を有している。  
このため、該庇１６により、複数の従動ローラー１２や接触部１４にインクミストなどの異物が付着することを効果的に抑制している。
【００２９】
また、本実施例の搬送部５は、図４で表されるように、従動ローラー１２を支持する搬送部５の支持部７を備えており、カバー部８は、搬送部５の支持部７に取り付けられている。このように、簡単な構成で除電ブラシ１３が設けられたカバー部８を搬送部５に設けている。
【００３０】
また、本実施例のカバー部８の庇１６は、図３及び図４で表されるように、搬送方向Ａに張り出しており、搬送方向Ａと交差する方向である方向Ｂに沿って曲げられる曲げ部１７を有している。このように曲げ部１７を有することで、カバー部８は、長手方向である方向Ｂの強度が特に高く構成されている。
【００３１】
また、本実施例のカバー部８の庇１６は、図４で表されるように、搬送方向Ａの下流側に向かうにしたがって搬送中の被記録媒体Ｐとの距離が大きくなるように構成されている。  
このような構成により、被記録媒体Ｐを搬送方向Ａとは逆方向に逆搬送した場合に、被記録媒体Ｐが庇１６に引っ掛かるということを抑制している。
【００３２】
また、本実施例のカバー部８の構成材料は、金属を含んでいる。詳細には、本実施例のカバー部８は、前記金属としてステンレスを含んでいる。  
このため、カバー部８を特に高い強度で構成している。
【００３３】
次に、本実施例の除電ブラシ１３及び該除電ブラシ１３における搬送部５の支持部７に対する取り付け状態ついて説明する。  
図５は本実施例の除電ブラシ１３の取り付け状態を表す概略側面図であり、図６及び図７は本実施例の除電ブラシ１３を表す概略平面図である。ここで、図５（Ａ）及び図６は、除電ブラシ１３が搬送部５の支持部７から取り外された状態を表している。また、図５（Ｂ）及び図７は除電ブラシ１３が搬送部５の支持部７に取り付けられ、接触部１４が従動ローラー１２に接触している状態を表している。
【００３４】
図５から図７で表されるように、本実施例の除電ブラシ１３は、上方から見て、搬送方向Ａに沿う線状の接触部１４が方向Ｂに複数並ぶように、導電性のアルミテープでカバー部８に貼り付けられて、接触部１４の支持部１９として構成されている。すなわち、本実施例の線状の接触部１４は、従動ローラー１２が並べられる方向Ｂに対して垂直に接触するように、該接触部１４の支持部１９及びカバー部８で支持されている。
【００３５】
また、本実施例の接触部１４は、線状の導電性部材であるステンレス繊維が束ねられて構成されており、従動ローラー１２に接触すると、支持部１９よりも接触部１４先端側（従動ローラー１２と接触する側）が扇状に広がり、該従動ローラー１２との接触部分が広がるため、広い範囲で該従動ローラー１２と接触して除電できるように構成されている。
【００３６】
すなわち、本実施例の記録装置１は、従動ローラー１２に接触する接触部１４と、接触部１４を支持する支持部１９及び８と、を有する除電ブラシ１３を備え、接触部１４は、線状の導電性部材が束ねられて構成されている。  
このように、接触部１４を従動ローラー１２に対して接触させるので、除電効果は高い。また、接触部１４はステンレス繊維が束ねられて構成される線状の接触部であるため、接触部１４を従動ローラー１２に対して接触させることでステンレス繊維が従動ローラー１２に対して広がって接触し、特に、除電効果は高い。したがって、本実施例の記録装置１は、従動ローラー１２と接触することで帯電する被記録媒体Ｐに画像を形成することにより被記録媒体Ｐに形成される記録画像の品質が低下することを、抑制している。
【００３７】
また、本実施例のカバー部８はステンレスで構成されている。このため、アルミテープを用いた接触部１４の支持部１９と共に、カバー部８は導電性である。  
このため、接触部１４だけでなく該接触部１４の支持部を導電性としていることにより、除電ブラシ１３から電荷を移動させる構成を簡単に作製している。
【００３８】
また、図４で表されるように、本実施例の記録装置１は、除電ブラシ１３を有する本実施例のカバー部８を取り付ける取付部としての搬送部５の支持部７を備えている。そして、図２及び図３で表されるように、搬送部５の支持部７は、導電性部材１８を有しており導電性である。  
このため、接触部１４だけでなく搬送部５の支持部７を導電性とすることにより、除電ブラシ１３から電荷を移動させる構成を簡単に作製している。
【００３９】
また、上記のように、本実施例の記録装置１における除電ブラシ１３の被除電物は従動ローラー１２である。  
被記録媒体Ｐを搬送する従動ローラー１２を備える記録装置１においては、該従動ローラー１２が帯電して被記録媒体Ｐに帯電ムラを生じさせてしまう場合があるが、本実施例の記録装置１は、従動ローラー１２の除電ができるため、該従動ローラー１２が帯電して被記録媒体Ｐに帯電ムラを生じさせるということを抑制している。
【００４０】
なお、除電ブラシ１３が被記録媒体Ｐに接触して、被記録媒体Ｐを直接除電する構成としてもよい。このような構成としても、効果的に、被記録媒体Ｐを除電でき、被記録媒体Ｐに形成される記録画像の品質が低下することを抑制することができる。
【００４１】
また、図４及び図５で表されるように、本実施例の接触部１４は、搬送方向Ａの下流側に位置する一方の端部が接触部１４の支持部１９及びカバー部８に支持され、搬送方向Ａの上流側に位置する他方の端部が従動ローラー１２に接触するように構成されている。この構成によれば、従動ローラー１２は、接触部１４との接触箇所において、支持部１９から前記他方の端部（従動ローラー１２と接触する側）に向かう方向に、接触部１４を擦りながら回転する。そのため、被記録媒体Ｐを搬送方向Ａの下流側に搬送する場合、接触部１４を構成するステンレス繊維の束が整う方向に従動ローラー１２が回転する。なお、被記録媒体Ｐを搬送方向Ａの上流側に搬送する場合には、接触部１４を構成するステンレス繊維の束が乱れる方向に従動ローラー１２が回転することになる。そのため、接触部１４は、従動ローラー１２に対して、接触と非接触の状態を変更できるようにし、被記録媒体Ｐを搬送方向Ａの上流側に搬送する場合に、従動ローラー１２から離した状態としておくことが好ましい。  
本実施例の記録装置１のように、一般的な記録装置１においては、被記録媒体Ｐを搬送するローラー（従動ローラー１２）は、記録ヘッド４よりも搬送方向Ａの上流側に設けられることが多い。本実施例の接触部１４は、搬送方向Ａの下流側で接触部１４の支持部１９及びカバー部８に支持されるので、接触部１４よりも搬送方向Ａの下流側に設けられる接触部１４の支持部１９及びカバー部８が壁になり、例えば記録ヘッド４で発生するインクミストなどの異物が、搬送方向Ａの下流側から接触部１４に付着することを抑制している。このため、インクミストなどの異物が接触部１４に付着し、該異物が接触部１４を介して被記録媒体Ｐに付着して被記録媒体Ｐを汚すことを抑制している。  
なお、「搬送方向Ａの下流側に位置する一方の端部」及び「搬送方向Ａの上流側に位置する他方の端部」とは、夫々、先端部に限定されず、先端部近傍部分を含む意味である。
【００４２】
また、図４及び図５で表されるように、本実施例のカバー部８の庇１６は、図４で表されるように、搬送方向Ａの下流側に向かうにしたがって搬送中の被記録媒体Ｐとの距離が大きくなるように傾斜して構成されている。  
そして、カバー部８の庇１６がこのように構成されていることに伴って、図５（Ｂ）で表されるように、接触部１４は、従動ローラー１２に対して方向Ｄに押圧されるように接触部１４の支持部１９及びカバー部８に支持されている。  
このように、従動ローラー１２に対して押圧されることで、図７で表されるように、接触部１４を構成するステンレス繊維が従動ローラー１２に対して特に広がって接触するので、特に、除電効果は高い。したがって、帯電した被記録媒体Ｐに画像を形成することにより被記録媒体Ｐに形成される記録画像の品質が低下することを、効果的に抑制している。
【００４３】
［実施例２］（図８）  
次に、実施例２の記録装置について、添付図面を参照して詳細に説明する。  
図８は、本実施例の除電ブラシ１３を表す概略平面図であり、除電ブラシ１３が搬送部５の支持部７から取り外された状態を表している。なお、上記実施例と共通する構成部材は同じ符号で示しており、詳細な説明は省略する。  
なお、本実施例の記録装置１は、方向Ｂと直交する方向に支持された接触部１４が方向Ｂに複数並べられている代わりに、方向Ｂに対して斜めに支持された接触部１４が方向Ｂに複数並べられている以外は、実施例１の記録装置１と同様の構成である。
【００４４】
図８で表されるように本実施例の線状の接触部１４は、接触部１４を構成する線状の導電性部材が従動ローラー１２の並べられる方向Ｂに対して斜めに接触するように、接触部１４の支持部１９及びカバー部８で支持されている。  
このため、従動ローラー１２に対する接触部１４の接触面積は大きくなり、除電効果が高い。また、本実施例の記録装置１は、接触部１４を複数備える除電ブラシ１３を用いて被記録媒体Ｐを搬送する従動ローラー１２の除電を行う構成であるが、該従動ローラー１２に対して接触部１４を斜めに接触するように配置することで従動ローラー１２における接触部１４同士の間隔に起因する非接触部分の発生を抑制し、接触部１４同士の間隔に起因する除電ムラを抑制している。
【００４５】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４６】
本発明の第１の態様の記録装置１は、被除電物１２に接触する接触部１４と、接触部１４を支持する支持部１９及び８と、を有する除電ブラシ１３を備え、接触部１４は、線状の導電性部材が束ねられて構成されていることを特徴とする。
【００４７】
本態様によれば、接触部１４を被除電物１２に対して接触させるので、除電効果を高くできる。また、接触部１４は導電性部材が束ねられて構成される線状の接触部であるため、接触部１４を被除電物１２に対して接触させることで前記導電性部材が被除電物１２に対して広がって接触することとなる。このため、特に、除電効果を高くできる。したがって、帯電した被記録媒体Ｐに画像を形成することにより、被記録媒体Ｐに形成される記録画像の品質が低下することを抑制することができる。
【００４８】
本発明の第２の態様の記録装置１は、前記第１の態様において、接触部１４は、線状の導電性部材が被除電物１２に対して斜めに接触するように支持部１９及び８に支持されることを特徴とする。
【００４９】
本態様によれば、接触部１４は、被除電物１２に対して斜めに接触するように支持部１９及び８に支持される。このため、被除電物１２に対する接触部１４の接触面積は大きくなり、除電効果を高くできる。また、例えば、接触部１４を複数備える除電ブラシ１３を用いて被記録媒体Ｐを搬送するローラー１２の除電を行う場合、該ローラー１に対して接触部１４を斜めに接触するように配置することでローラー１２における接触部１４同士の間隔に起因する非接触部分の発生を抑制し、接触部１４同士の間隔に起因する除電ムラを抑制できる。
【００５０】
本発明の第３の態様の記録装置１は、前記第１又は第２の態様において、支持部１９及び８は導電性であることを特徴とする。
【００５１】
本態様によれば、支持部１９及び８は導電性である。すなわち、接触部１４だけでなく支持部１９及び８を導電性とすることにより、除電ブラシ１３から電荷を移動させる構成が簡単に作製できる。
【００５２】
本発明の第４の態様の記録装置１は、前記第１から第３のいずれか１つの態様において、除電ブラシ１３を取り付ける取付部７を備え、取付部７は導電性であることを特徴とする。
【００５３】
本態様によれば、取付部７は導電性である。すなわち、接触部１４だけでなく取付部７を導電性とすることにより、除電ブラシ１３から電荷を移動させる構成が簡単に作製できる。
【００５４】
本発明の第５の態様の記録装置１は、前記第１から第４のいずれか１つの態様において、被記録媒体Ｐを搬送するローラー１２を備え、前記被除電物は、ローラー１２であることを特徴とする。
【００５５】
被記録媒体Ｐを搬送するローラー１２を備える記録装置１においては、該ローラー１２が帯電して被記録媒体Ｐに帯電ムラを生じさせてしまう場合があるが、本態様によれば、ローラー１２の除電ができるため、該ローラー１２が帯電して被記録媒体Ｐに帯電ムラを生じさせるということを抑制できる。
【００５６】
本発明の第６の態様の記録装置１は、前記第５の態様において、接触部１４は、被記録媒体Ｐの搬送方向Ａの下流側に位置する一方の端部が支持部１９及び８に支持され、搬送方向Ａの上流側に位置する他方の端部がローラー１２に接触するように支持部１９及び８に支持されることを特徴とする。
【００５７】
一般的な記録装置１においては、被記録媒体Ｐを搬送するローラー１２は、記録部４よりも搬送方向Ａの上流側に設けられることが多い。本態様によれば、搬送方向Ａの下流側で支持部１９及び８に支持される。すなわち、上記のような一般的な記録装置１において、接触部１４よりも搬送方向Ａの下流側に支持部１９及び８が設けられ、該支持部１９及び８が壁になり、例えば記録部４で発生するインクミストなどの異物が、搬送方向Ａの下流側から接触部１４に付着することを抑制できる。このため、インクミストなどの異物が接触部１４に付着し、該異物が接触部１４を介して被記録媒体Ｐに付着して被記録媒体Ｐを汚すことを抑制することができる。  
なお、「搬送方向Ａの下流側に位置する一方の端部」及び「搬送方向Ａの上流側に位置する他方の端部」とは、夫々、先端部に限定されず、先端部近傍部分を含む意味である。
【００５８】
本発明の第７の態様の記録装置１は、前記第１から第４のいずれか１つの態様において、前記被除電物は、被記録媒体Ｐであることを特徴とする。
【００５９】
本態様によれば、前記被除電物は、被記録媒体Ｐである。このため、効果的に、被記録媒体Ｐを除電でき、被記録媒体Ｐに形成される記録画像の品質が低下することを抑制することができる。
【００６０】
本発明の第８の態様の記録装置１は、前記第１から第７のいずれか１つの態様において、接触部１４は、被除電物１２に対して押圧されるように支持部１９及び８に支持されることを特徴とする。
【００６１】
本態様によれば、接触部１４は、被除電物１２に対して押圧されるように支持部１９及び８に支持される。このように、被除電物１２に対して押圧されることで前記導電性部材が被除電物１２に対して特に広がって接触することとなる。このため、特に、除電効果を高くできる。したがって、帯電した被記録媒体Ｐに画像を形成することにより、被記録媒体Ｐに形成される記録画像の品質が低下することを効果的に抑制することができる。
【００６２】
本発明の第９の態様の記録装置１は、前記第１から第８のいずれか１つの態様において、接触部１４をカバーするカバー部８を備え、カバー部８は、該カバー部８と被記録媒体Ｐの搬送経路との間１５に接触部１４が位置するように構成されていることを特徴とする。
【００６３】
本態様によれば、接触部１４をカバーするカバー部８を備え、カバー部８は、該カバー部８と被記録媒体Ｐの搬送経路との間１５に接触部１４が位置するように構成されている。すなわち、インクミストなどの異物が、接触部１４に付着することを抑制できる。このため、インクミストなどの異物が接触部１４に付着し、該異物が接触部１４を介して被記録媒体Ｐに付着して被記録媒体Ｐを汚すことを抑制することができる。
【符号の説明】
【００６４】
１  記録装置、２  支持軸、３  媒体支持部、４  記録ヘッド（記録部）、
５  搬送部（搬送装置）、６  キャリッジ、７  搬送部５の支持部、
８  カバー部（支持部）、９  テンションバー、１０  巻取軸、１１  駆動ローラー、
１２  従動ローラー（被除電物、ローラー）、１３  除電ブラシ、１４  取付部、
１５  駆動ローラー及び従動ローラーのニップ位置（被記録媒体の搬送経路）、
１６  庇、１７  曲げ部、１８  導電性部材、１９  接触部１４の支持部、
Ｐ  被記録媒体、Ｒ１  被記録媒体のロール、Ｒ２  被記録媒体のロール
【図１】
2015164872.tif 000003
【図２】
2015164872.tif 000004
【図３】
2015164872.tif 000005
【図４】
2015164872.tif 000006
【図５】
2015164872.tif 000007
【図６】
2015164872.tif 000008
【図７】
2015164872.tif 000009
【図８】
2015164872.tif 000010